【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
表示部に表示されたオブジェクトの変動速度を、前記オブジェクトの変動方向に関する操作情報を入力可能な入力操作部への加重に基づいて設定する変動速度設定部と、
前記オブジェクトを前記変動速度で変動させる表示制御部と、を備える、情報処理装置。
【請求項２】
前記入力操作部は、前記変動速度の基準値である基準変動速度を入力可能であり、
前記変動速度設定部は、前記基準変動速度と、前記加重とに基づいて、前記変動速度を設定する、請求項１記載の情報処理装置。
【請求項３】
前記変動速度設定部は、前記加重が大きいほど、前記変動速度を前記基準変動速度に近い値に設定する、請求項２記載の情報処理装置。
【請求項４】
前記変動速度設定部は、前記加重が所定値より大きくなった場合に、前記オブジェクトの変動速度を前記基準変動速度に一致させる、請求項３記載の情報処理装置。
【請求項５】
前記変動速度設定部は、前記加重が大きいほど、前記オブジェクトの変動速度を小さい値に設定する、請求項１記載の情報処理装置。
【請求項６】
前記変動速度設定部は、前記加重が所定値より大きくなった場合に、前記オブジェクトの変動速度をゼロに設定する、請求項５記載の情報処理装置。
【請求項７】
前記変動速度には、前記オブジェクトのスクロール速度、拡大縮小速度、再生速度、及び移動速度のうち、少なくとも１つが含まれる、請求項１〜６のいずれか１項に記載の情報処理装置。
【請求項８】
表示部に表示されたオブジェクトの変動方向を入力可能な入力操作部への加重に基づいて、前記オブジェクトの変動速度を設定することと、
前記オブジェクトを前記変動速度で変動させることと、を含む、情報処理方法。
【請求項９】
コンピュータに、
表示部に表示されたオブジェクトの変動方向を入力可能な入力操作部への加重に基づいて、前記オブジェクトの変動速度を設定する変動速度設定機能と、
前記オブジェクトを前記変動速度で変動させる表示制御機能と、を実現させる、プログラム。
【請求項１０】
前記入力操作部は、前記変動速度の基準値である基準変動速度を入力可能であり、
前記変動速度設定機能は、前記基準変動速度と、前記加重とに基づいて、前記変動速度を設定する、請求項９記載のプログラム。
【請求項１１】
前記変動速度設定機能は、前記加重が大きいほど、前記変動速度を前記基準変動速度に近い値に設定する、請求項１０記載のプログラム。
【請求項１２】
前記変動速度設定機能は、前記加重が所定値より大きくなった場合に、前記変動速度を前記基準変動速度に一致させる、請求項１１記載のプログラム。
【請求項１３】
前記変動速度設定機能は、前記加重が大きいほど、前記変動速度を小さい値に設定する、請求項９記載のプログラム。
【請求項１４】
前記変動速度設定機能は、前記加重が所定値より大きくなった場合に、前記変動速度をゼロに設定する、請求項１３記載のプログラム。
【請求項１５】
前記変動速度には、前記オブジェクトのスクロール速度、拡大縮小速度、再生速度、及び移動速度のうち、少なくとも１つが含まれる、請求項９〜１４のいずれか１項に記載のプログラム。
【手続補正２】
【補正対象書類名】明細書
【補正対象項目名】００１６
【補正方法】変更
【補正の内容】
【００１６】
押し部材１０ｅは、カバー部１０ａの裏面（底面部１０ｂに対向する面）に設けられ、力検出部１３に対向している。なお、押し部材１０ｅと力検出部１３との間には、空間（遊び）ｄが形成されている。圧縮コイルバネ１０ｆは、カバー部１０ａと底面部１０ｂとを連結している。圧縮コイルバネ１０ｆは、押し部材１０ｅと力検出部１３との間に空間ｄが形成されるように、カバー部１０ａを底面部１０ｂの上方で保持する。なお、圧縮コイルバネ１０ｆは、ユーザがカバー部１０ａを押し込んだ際に縮むが、基板１０ｄが底面部１０ｂに接触する前に、縮み量が最大となる（それ以上縮まない）。
【手続補正３】
【補正対象書類名】明細書
【補正対象項目名】００５３
【補正方法】変更
【補正の内容】
【００５３】
表示制御部２３２は、地図画像１００をスクロール速度Ｖ２でスクロールさせる。その後、情報処理装置２０は、処理を終了する。スクロール速度調整の例を図８〜図９に示す。加重Ｆが閾値Ｔｈよりも大きくなる場合、図８に示すように、スクロール速度Ｖ２は、マウスポインタＭＰの移動速度Ｖ３、即ちマウス１０の移動速度Ｖ１に一致する。このため、地図画像１００は、マウスポインタＭＰの動きに完全に追従してスクロールする（即ち、本来のスクロール速度でスクロールする）。一方、加重Ｆが閾値Ｔｈ以下となる場合、図９に示すように、スクロール速度Ｖ２は、マウスポインタＭＰの移動速度Ｖ３、即ちマウス１０の移動速度Ｖ１よりも小さくなる。このため、地図画像１００は、マウスポインタＭＰの動きに完全には追従せず、マウスポインタＭＰに引きずられるようにスクロールする。したがって、ユーザは、マウス１０をｘｙ方向に移動させる操作の他、マウス１０を押しこむ操作を地図画像１００の移動に反映させることができるので、地図画像１００をより詳細にスクロールさせることができる。また、ユーザは、マウスポインタＭＰと地図画像１００との間にあたかも摩擦力が働いているような操作感覚を得ることができるので、より自然な操作感覚で地図画像１００を操作することができる。
【手続補正４】
【補正対象書類名】明細書
【補正対象項目名】００６２
【補正方法】変更
【補正の内容】
【００６２】
次いで、表示制御部２３２は、地図画像１００をスクロール速度Ｖ２でスクロールさせる。スクロール減速時の例を図１１〜図１２に示す。この例では、地図画像１００が図１１に示す状態から減速する。加重Ｆが閾値Ｔｈよりも大きくなる場合、地図画像１００は直ちに停止する。一方、加重Ｆが閾値Ｔｈ以下となる場合、図１２に示すように、スクロール速度Ｖ２は、加重Ｆに応じて減少する。したがって、ユーザは、マウス１０を押しこむ操作を地図画像１００の減速に反映させることができるので、地図画像１００をより詳細に減速させることができる。また、ユーザは、マウスポインタＭＰと地図画像１００との間にあたかも摩擦力が働いているような操作感覚を得ることができるので、より自然な操作感覚で地図画像１００を操作することができる。すなわち、ユーザは、加重Ｆに応じた摩擦力にて地図画像１００のスクロール速度Ｖ２を減少させることができる。これにより、ユーザは、より自然な操作感覚で地図画像１００を操作することができる。
【手続補正５】
【補正対象書類名】明細書
【補正対象項目名】００７２
【補正方法】変更
【補正の内容】
【００７２】
表示制御部２３２は、動画２００を再生速度Ｖ２で再生させる。ここで、再生方向は、再生速度Ｖ２が正なら順方向、再生速度Ｖ２が負なら逆方向となる。その後、情報処理装置２０は、処理を終了する。再生速度調整の例を図１４〜図１６に示す。加重Ｆが閾値Ｔｈよりも大きくなる場合、図１５に示すように、再生速度Ｖ２は、マウスポインタＭＰの移動速度Ｖ３、即ちマウス１０の移動速度Ｖ１に一致する。このため、動画２００は、マウスポインタＭＰの動きに完全に追従して再生される。一方、加重Ｆが閾値Ｔｈ以下となる場合、図１６に示すように、再生速度Ｖ２は、マウスポインタＭＰの移動速度Ｖ３、即ちマウス１０の移動速度Ｖ１よりも小さくなる。このため、動画２００は、マウスポインタＭＰの動きに完全には追従せず、マウスポインタＭＰに引きずられるように再生される。
したがって、ユーザは、マウス１０をｘｙ方向に移動させる操作の他、マウス１０を押しこむ操作を動画２００の再生速度に反映させることができるので、動画２００をより詳細に再生させることができる。また、ユーザは、動画２００に再生方向とは逆方向にあたかも摩擦力が働いているような操作感覚を得ることができるので、より自然な操作感覚で動画２００を操作することができる。
【手続補正６】
【補正対象書類名】明細書
【補正対象項目名】００７９
【補正方法】変更
【補正の内容】
【００７９】
次いで、表示制御部２３２は、動画２００を再生速度Ｖ２で再生させる。再生速度減速時の例を図１８〜図２０に示す。この例では、動画２００が図１８に示す状態から再生されるものとする。加重Ｆが閾値Ｔｈよりも大きくなる場合、動画２００は直ちに停止する。一方、加重Ｆが閾値Ｔｈ以下となる場合、図１９〜図２０に示すように、再生速度Ｖ２は、加重Ｆに応じて減少する。即ち、図１９に示す場合の加重Ｆは、図２０に示す加重Ｆよりも小さい。したがって、ユーザは、マウス１０を押しこむ操作を動画２００の再生速度に反映させることができるので、動画２００をより詳細に再生させることができる。また、ユーザは、動画２００の再生方向とは逆方向にあたかも摩擦力が働いているような操作感覚を得ることができる。すなわち、ユーザは、加重Ｆに応じた摩擦力にて動画２００の再生速度Ｖ２を減少させることができる。これにより、ユーザは、より自然な操作感覚で動画２００を操作することができる。
【手続補正７】
【補正対象書類名】明細書
【補正対象項目名】００８０
【補正方法】変更
【補正の内容】
【００８０】
＜１−５．第２の変形例＞
次に、情報処理装置２０の第２の変形例を説明する。第２の変形例に係る情報処理装置２０は、ウインドウや各種アイコン等のオブジェクトに対するドラッグ操作を一定の条件下で受け付ける。また、記憶部２２は、少なくとも図５（ｃ）に示す動き量決定用グラフＬ４を記憶している。以下、情報処理装置２０が行なう処理を図２１に基づいて説明する。なお、ここでは、図２２に示すように、ユーザがフォルダｏｂ１をドラッグ操作する場合の処理を一例として説明する。
【手続補正８】
【補正対象書類名】明細書
【補正対象項目名】００８１
【補正方法】変更
【補正の内容】
【００８１】
ステップＳ２７０において、表示部２４は、図２２に示すように、フォルダｏｂ１及びマウスポインタＭＰを表示する。次いで、ユーザは、マウス１０をｘｙ方向に移動させることで、マウスポインタＭＰをフォルダｏｂ１上に移動させる。次いで、ユーザは、マウス１０を押し込みながらドラッグ操作を行なう。
【手続補正９】
【補正対象書類名】明細書
【補正対象項目名】００８３
【補正方法】変更
【補正の内容】
【００８３】
次いで、ステップＳ２８０において、変動速度設定部２３１は、マウス操作情報に基づいて、ユーザがフォルダｏｂ１に対してドラッグ操作を行ったか否かを判定する。具体的な処理は上述したステップＳ２０と同様である。変動速度設定部２３１は、ユーザがドラッグ操作を行ったと判定した場合には、ステップＳ２９０に進み、ユーザがドラッグ操作を行っていないと判定した場合には、処理を終了する。
【手続補正１０】
【補正対象書類名】明細書
【補正対象項目名】００８５
【補正方法】変更
【補正の内容】
【００８５】
ステップＳ３００において、変動速度設定部２３１は、加重Ｆが閾値Ｔｈよりも大きいので、動き量の比ｆを１に決定する。変動速度設定部２３１は、以下の式（２０）〜（２１）に基づいて、フォルダｏｂ１の変動速度Ｖ２である移動速度Ｖ２のｘ’成分Ｖ２ｘ、ｙ’成分Ｖ２ｙを設定する。
【手続補正１１】
【補正対象書類名】明細書
【補正対象項目名】００８７
【補正方法】変更
【補正の内容】
【００８７】
表示制御部２３２は、フォルダｏｂ１を移動速度Ｖ２で移動（ドラッグ）させる。即ち、情報処理装置２０は、ドラッグ操作を受け付ける。なお、表示制御部２３２は、フォルダｏｂ１を移動させる場合には、図２３に示すように、フォルダｏｂ１を拡大してもよい。これにより、ユーザは、フォルダｏｂ１をドラッグ操作可能であることを容易に把握することができる。なお、表示制御部２３２は、フォルダｏｂ１を拡大する他、例えば、フォルダｏｂ１を潰れた画像とする、色を変える等の処理を行なってもよい。
【手続補正１２】
【補正対象書類名】明細書
【補正対象項目名】０１１０
【補正方法】変更
【補正の内容】
【０１１０】
入力操作部４１は、上述した入力操作部３１と同様のものであり、トッププレート４０ｂの内側に配置されている。力検出部４２は、ユーザによる押し込み力（加重）Ｆを検出するセンサであり、上述した力検出部３２と同様のものである。制御部４３は、タッチパッド４０の各構成要素を制御する他、入力操作部４１から与えられた移動速度情報、及び力検出部から与えられた加重情報を含むタッチパッド操作情報を生成し、送信部４４に出力する。送信部４４は、第１の実施形態に係る情報処理装置２０との間で無線通信が可能となっており、タッチパッド操作情報を情報処理装置２０に送信する。即ち、タッチパッド４０はいわゆるワイヤレスタッチパッドであるが、ケーブルで情報処理装置２０に連結されていてもよい。情報処理装置２０は、タッチパッド操作情報に基づいて、第１の実施形態と同様の処理を行なう。即ち、情報処理装置２０は、ここでは、フリック操作に基づいて、第１の実施形態と同様の処理を行なう。